(57)【特許請求の範囲】
【請求項１】
原稿画像を読み取って得られる色信号をＣＭＹＫの網％信号に変換するための色信号変換用トーンカーブの作成方法において、
登録された複数の基本階調カーブ、複数のグレーバランスカーブおよび複数の墨版カーブからそれぞれ１つを選択するステップと、
選択された前記基本階調カーブ、前記グレーバランスカーブおよび前記墨版カーブの組み合わせによってトーンカーブを作成するステップと、
サンプル画像を読み取って得られる色信号を前記トーンカーブにより変換し、得られたＣＭＹＫの前記網％信号に基づいてプルーフ画像を作成するステップと、
前記プルーフ画像を所望の画像とすべく、前記トーンカーブを調整するステップと、
調整した前記トーンカーブを登録するステップと、
からなることを特徴とする色信号変換用トーンカーブ作成方法。
【請求項２】
請求項１記載の方法において、
前記基本階調カーブ、前記グレーバランスカーブおよび前記墨版カーブのそれぞれを選択するステップが、表示画面上のメニューの選択により行われることを特徴とする色信号変換用トーンカーブ作成方法。
【請求項３】
請求項１または２記載の方法において、
前記トーンカーブを調整するステップは、前記色信号を前記トーンカーブにより変換して得られる網％値を表示画面上で修正して行われることを特徴とする色信号変換用トーンカーブ作成方法。
【請求項４】
原稿画像を読み取って得られる色信号をＣＭＹＫの網％信号に変換するための色信号変換用トーンカーブの作成装置において、
複数の基本階調カーブ、複数のグレーバランスカーブおよび複数の墨版カーブを記憶する記憶手段と、
前記記憶手段に記憶された複数の前記基本階調カーブ、複数の前記グレーバランスカーブおよび複数の前記墨版カーブからそれぞれ１つを選択する選択手段と、
選択された前記基本階調カーブ、前記グレーバランスカーブおよび前記墨版カーブの組み合わせによってトーンカーブを作成するトーンカーブ作成手段と、
サンプル画像を読み取って得られる色信号を前記トーンカーブにより変換し、得られたＣＭＹＫの前記網％信号に基づいてプルーフ画像を作成するプルーフ画像作成手段と、
前記プルーフ画像を所望の画像とすべく、前記トーンカーブを調整するトーンカーブ調整手段と、
を備えることを特徴とする色信号変換用トーンカーブ作成装置。
【請求項５】
請求項４記載の装置において、
複数の前記基本階調カーブ、複数の前記グレーバランスカーブおよび複数の前記墨版カーブをメニューから選択可能に表示する表示手段を備えることを特徴とする色信号変換用トーンカーブ作成装置。
【請求項６】
請求項４または５記載の装置において、
前記色信号を前記トーンカーブにより変換して得られる網％値を調整可能に表示する表示手段を備えることを特徴とする色信号変換用トーンカーブ作成装置。
【発明の詳細な説明】
【０００１】
【発明の属する技術分野】
本発明は、原稿画像を読み込んで得られるＣ、Ｍ、Ｙの３色信号を所望の調子再現性を有するＣ、Ｍ、Ｙ、Ｋの４色信号に変換するための色信号変換用トーンカーブ作成方法および装置に関する。
【０００２】
【従来の技術】
例えば、印刷・製版の分野において、作業工程の合理化、画像品質の向上等を目的として読取原稿に記録された画像情報を電気的に処理し、フイルム原版を作成する画像読取記録再生システムが広範に用いられている。
【０００３】
この場合、前記画像読取記録再生システムでは、読取原稿をスキャンして得られたＣ、Ｍ、Ｙの３色信号を、トーンカーブを用いて所望の調子再現性を有するＣ、Ｍ、Ｙ、Ｋの４色信号に変換した後、前記４色信号に応じた各色のフイルム原版を作成している。読み取ったＣ、Ｍ、Ｙの３色信号からＣ、Ｍ、Ｙ、Ｋの４色信号に変換する際に行われる画像処理としては、例えば、特開平４−１２４６６６号、特開平４−２５３４７２号、特開平４−２５３４７４号の各公報に記載された方法が用いられる。
【０００４】
ここで、前記トーンカーブは、フイルム原版における原稿画像の調子再現性を左右する基本条件となるもので、グレーの原稿画像の濃度に対して出力されるＣ、Ｍ、Ｙ、Ｋの４色信号の網％値として設定される。
【０００５】
従来、前記トーンカーブは、原稿濃度の測定値とフイルム原版として再現したい網％値との関係を数値入力することにより設定登録していた。この設定登録作業においては、良好な調子再現性を得るために、トーンカーブが滑らかになるように数値設定する必要があるが、そのような数値の選択には相当な熟練を要する。また、数値そのものの入力には、相当な時間を要するという不具合がある。従って、原稿の種類等に応じて多数のトーンカーブを設定登録しようとすると、かなりの時間と労力とが必要になってしまう。しかも、前記のようにして設定したトーンカーブは、テスト画像の調子再現性を確認して最終的に確定できるものであり、調子再現性が不良の場合には、再度トーンカーブの設定登録作業を行わなければならなかった。
【０００６】
【発明が解決しようとする課題】
本発明は、前記の不具合を解消するためになされたものであり、トーンカーブの設定登録を容易且つ効率的に行うことのできる色信号変換用トーンカーブ作成方法および装置を提供することを目的とする。
【０００７】
【課題を解決するための手段】
本発明は、原稿画像を読み取って得られる色信号をＣＭＹＫの網％信号に変換するための色信号変換用トーンカーブの作成方法において、
登録された複数の基本階調カーブ、複数のグレーバランスカーブおよび複数の墨版カーブからそれぞれ１つを選択するステップと、
選択された前記基本階調カーブ、前記グレーバランスカーブおよび前記墨版カーブの組み合わせによってトーンカーブを作成するステップと、
サンプル画像を読み取って得られる色信号を前記トーンカーブにより変換し、得られたＣＭＹＫの前記網％信号に基づいてプルーフ画像を作成するステップと、
前記プルーフ画像を所望の画像とすべく、前記トーンカーブを調整するステップと、
調整した前記トーンカーブを登録するステップと、
からなり、予め登録されたトーンカーブを修正することにより、所望のトーンカーブを容易且つ効率的に作成することができる。
また、本発明は、原稿画像を読み取って得られる色信号をＣＭＹＫの網％信号に変換するための色信号変換用トーンカーブの作成装置において、
複数の基本階調カーブ、複数のグレーバランスカーブおよび複数の墨版カーブを記憶する記憶手段と、
前記記憶手段に記憶された複数の前記基本階調カーブ、複数の前記グレーバランスカーブおよび複数の前記墨版カーブからそれぞれ１つを選択する選択手段と、
選択された前記基本階調カーブ、前記グレーバランスカーブおよび前記墨版カーブの組み合わせによってトーンカーブを作成するトーンカーブ作成手段と、
サンプル画像を読み取って得られる色信号を前記トーンカーブにより変換し、得られたＣＭＹＫの前記網％信号に基づいてプルーフ画像を作成するプルーフ画像作成手段と、
前記プルーフ画像を所望の画像とすべく、前記トーンカーブを調整するトーンカーブ調整手段と、
を備えることを特徴とする。
【０００８】
【発明の実施の形態】
図１は、本実施形態の画像読取記録再生システムの概略構成図である。このシステムは、透過型原稿に記録された画像を読み取るスキャナである透過型入力機１０と、ディスプレイを用いて画像の処理操作を行うワークステーション１２と、前記処理操作に従って画像処理を行う画像処理ユニット１４と、処理された画像をフイルム原版としてＣ、Ｍ、Ｙ、Ｋの色別に出力する出力機１６と、前記画像処理ユニット１４から前記出力機１６に対する信号の出力処理を行う出力インタフェースユニット１８とから基本的に構成される。なお、前記透過型入力機１０には、必要に応じて、反射型原稿に記録された画像を読み取るスキャナである反射型入力機２０が接続される。
【０００９】
透過型入力機１０は、反射型入力機２０からの画像信号を受信し、あるいは、当該透過型入力機１０において処理された画像信号をワークステーション１２に送信する入出力インタフェース２２と、ＣＰＵ２４と、ＣＣＤ等を用いて透過型原稿の画像を読み取る画像読取部２６と、前記画像読取部２６で得られた画像信号を電圧信号から電流信号に変換し、前記電流信号を対数変換する等の前処理を行い、Ｃ、Ｍ、Ｙの色信号を得る前処理回路２８と、前記色信号を一時的に保持する画像バッファ３０とを備える。
【００１０】
ワークステーション１２は、透過型入力機１０からの色信号を受信し、あるいは、前記色信号を画像処理ユニット１４に送信する入出力インタフェース３２と、ＣＰＵ３４と、色信号を一時的に保持する画像バッファ３６と、画像操作のためのディスプレイ３８、キーボード４０およびマウス４２からなるコンソールとを備える。
【００１１】
画像処理ユニット１４は、ワークステーション１２に対する信号の送受信および出力インタフェースユニット１８に対する信号の送受信を行う入出力インタフェース４４と、ＣＰＵ４６と、Ｃ、Ｍ、Ｙの色信号に対して所定の階調処理、輪郭処理、倍率処理等を行い、Ｃ、Ｍ、Ｙ、Ｋの色信号を得る画像処理回路４８と、前記画像処理回路４８における各処理条件を修正する画像処理条件修正回路５０と、各種画像処理条件のパラメータを記憶するパラメータ記憶部５２と、階調処理に用いられるトーンカーブを記憶するトーンカーブ記憶部５４とを備える。
【００１２】
出力インタフェースユニット１８は、画像処理ユニット１４からの色信号を受信し、あるいは、前記色信号を出力機１６に送信する入出力インタフェース５６と、ＣＰＵ５８と、出力機１６に対する色信号の出力処理を行う出力処理部６０と、色信号を一時的に保持する画像バッファ６２とを備える。
【００１３】
本実施形態の画像読取記録再生システムは、基本的には以上のように構成される。次に、このシステムにおける色信号変換用トーンカーブ作成方法について、図２に示すフローチャートに従い説明する。
【００１４】
先ず、画像処理ユニット１４におけるトーンカーブ記憶部５４に、予め基準とする仮のトーンカーブを構成する基本階調カーブ、グレーバランスカーブおよび墨版カーブの各データを登録しておく（ステップＳ１）。
【００１５】
基本階調カーブは、例えば、Ｃの色信号に対して所望の調子再現性を付与するものであり、図３に示すように、Ｃの濃度に対する網％値として設定されている。なお、この基本階調カーブの形状は、後述するように、＋３、＋２、＋１、標準、−１、−２、−３、Ｓ字、逆Ｓ字等を予め準備しておく。ここで、＋３、＋２、＋１、−１、−２等は調整の方向と程度を符号化したものであり、例えば、＋２は標準カーブに対して中間濃度部分を上側に１０％膨らませるよう設定される。
【００１６】
グレーバランスは、例えば、所定の網％値のＣの色信号に対してグレー色を得ることのできるＭおよびＹの網％値として定義する。図４Ａは、原稿濃度に対してグレー色を与えるＣ、Ｍ、Ｙの網％値の関係を示す図である。原稿濃度ｄiにおけるＣの網％値ａcに対するＭ、Ｙの網％値ａm、ａy（％）として設定されるものがグレーバランスカーブであり、図４Ｂおよび図４Ｃに示される。なお、後述するように、条件を選択することにより種々の設定条件が選択可能であるものとする。
【００１７】
墨版カーブは、図５に示すように、原稿濃度に対するＫの網％値の関係として設定されている。なお、この墨版カーブは、前述した基本階調カーブと同様に、＋３、＋２、＋１、標準、−１、−２、−３、Ｓ字形状、逆Ｓ字形状等を予め準備して設定しておくものとする。
【００１８】
次に、オペレータは、ワークステーション１２のキーボード４０あるいはマウス４２を用いて、ディスプレイ３８に図６に示す「カーブエディタ」の画面を表示し、ステップＳ１で登録した仮の基本階調カーブ、グレーバランスカーブおよび墨版カーブから所望のカーブを選択する（ステップＳ２）。
【００１９】
すなわち、オペレータは、図６に示す「カーブエディタ」の画面から「ファイル」の新規作成を選択することにより、図７に示す「カーブ設定画面」を表示する。次いで、この「カーブ設定画面」から所望の基本階調カーブ、グレーバランスカーブ、墨（Ｋ）版カーブを選択する。なお、基本階調カーブの形状は、図８Ａに示す＋３、＋２、＋１、標準、−１、−２、−３、Ｓ字、逆Ｓ字から選択することができる。グレーバランスカーブは、Ｃの網％値に対するＭ、Ｙの網％値として図８Ｂに示す条件１、条件２、条件３を選択することができる。墨版カーブは、図８Ｃに示す＋３、＋２、＋１、標準、−１、−２、−３、Ｓ字、逆Ｓ字から選択することができる。
【００２０】
前記のようにして所望の基本階調カーブ、グレーバランスカーブ、墨版カーブがメニュー上で選択され、且つ、ハイライトおよびシャドウの所望の濃度対網％値、墨版カーブのスタートポイントの濃度が設定されると、次に、染料スケール、カラーチャート等の基準となるサンプル原稿を透過型入力機１０あるいは反射型入力機２０から読み込み（ステップＳ３）、ステップＳ２で選択されたトーンカーブを用いてプルーフの作成を行う（ステップＳ４）。
【００２１】
この場合、原稿濃度SMPLD(i)（ｉ＝１〜ｎ：ｎはサンプル数）は、ハイライト濃度UHLVD 、シャドウ濃度USHVD を用いて正規化され、
SORGD(i)＝SMPLD(i)・（USHVD −UHLVD ）              …（１）
として正規化された原稿濃度SORGD(i)が得られる。そして、ステップＳ２で選択された基本階調カーブを用いて、所定の補間関数Fbc によりＣの色信号に係る原稿濃度SORGD(i)と網％値SDOTPC(i) との関係が次のようにして求められる。
【００２２】
SDOTPC(i) ＝Fbc(SORGD(i))                           …（２）
ここで用いられる補間関数Fbc としては、状況に応じて種々の補間関数が使用できる。例えば、直線補間の他、例えば、準エルミート補間、あるいはスプライン補間等を用いることができる。
【００２３】
次いで、ステップＳ２で選択されたグレーバランスカーブを用いて、所定の補間関数GcyおよびGcmによりＹおよびＭの色信号に係る網％値SDOTPY(i)およびSDOTPM(i)が次のようにして求められる。
【００２４】
SDOTPY(i) ＝Gcy(SDOTPC(i))                          …（３）
SDOTPM(i) ＝Gcm(SDOTPC(i))                          …（４）
さらに、ステップＳ２で選択された墨版カーブを用いて、所定の補間関数Fbk によりＫの色信号に係る網％値SDOTPK(i) が次のようにして求められる。
【００２５】
SDOTPK(i) ＝Fbk(SORGD(i))                        …（５）
以上のようにして、Ｃ、Ｍ、Ｙ、Ｋの各色信号に係る網％値SDOTPC(i) 、SDOTPM(i) 、SDOTPY(i) 、SDOTPK(i) によりトーンカーブが作られる。トーンカーブは画像処理ユニット１４に設定され、設定されたトーンカーブを用いてサンプル原稿のプルーフを作成する（ステップＳ４）。この場合、サンプル原稿に係るＣ、Ｍ、Ｙの色信号は、透過型入力機１０からワークステーション１２を介して画像処理ユニット１４に転送され、前記（１）式〜（５）式の関係式を用いてＣ、Ｍ、Ｙ、Ｋの網％値に変換された後、出力インタフェースユニット１８を介して出力機１６によりプルーフが作成される。
【００２６】
そこで、オペレータは、前記プルーフとサンプル原稿とを比較し、プルーフの確認を行う（ステップＳ５）。そして、前記プルーフが所望のものであれば、この場合に使用したトーンカーブを正規のものとして登録する（ステップＳ７）。
【００２７】
前述したステップＳ４では、プルーフを作成して調整する場合について説明したが、サンプル原稿の所定の部位における望ましい網％値が明らかである場合は、プルーフを作ることなく所望の網％値となるよう調整を行えばよい。
【００２８】
一方、前記プルーフが所望のものでない場合、トーンカーブの修正作業を行う（ステップＳ６）。この場合、ワークステーション１２のディスプレイ３８には、図９に示す「ユーザカーブ画面」が表示され、この画面のメニューに従ってトーンカーブの修正が行われる。そして、ステップＳ４〜Ｓ６の処理を繰り返すことにより所望のトーンカーブが設定され、トーンカーブ記憶部５４に格納される。あるいは、「カーブエディタ」の画面において、原稿濃度に対する登録網％値を修正して登録する。
【００２９】
なお、トーンカーブは、サンプル原稿の種類等に応じて作成して登録しておけば、必要に応じて所望のものを選択して使用することができる。
【００３０】
【発明の効果】
以上のように、本発明では、予め登録した基本階調カーブ、グレーバランスカーブおよび墨版カーブの中から選択して組み合わせることにより作られるトーンカーブを用いてサンプル画像の色変換処理を行ってプルーフを作成し、そのプルーフから前記トーンカーブを修正して登録することができるため、その設定登録を容易且つ効率的に行うことができる。
【図面の簡単な説明】
【図１】本実施形態の画像読取記録再生システムの構成図である。
【図２】本実施形態の色信号変換用トーンカーブ作成方法のフローチャートである。
【図３】基本階調カーブの説明図である。
【図４】図４Ａ〜図４Ｃは、原稿濃度に対するＣ、Ｍ、Ｙの網％値、Ｃの網％値に対するＭの網％値、Ｙの網％値を示す図である。
【図５】墨版カーブの説明図である。
【図６】カーブエディタ画面の説明図である。
【図７】カーブ設定画面の説明図である。
【図８】図８Ａは基本階調カーブを選択するプルダウンメニューの説明図、図８Ｂはグレーバランスカーブを選択するプルダウンメニューの説明図、図８Ｃは墨版カーブを選択するプルダウンメニューの説明図である。
【図９】ユーザカーブ画面の説明図である。
【符号の説明】
１０…透過型入力機                  １２…ワークステーション
１４…画像処理ユニット              １６…出力機
１８…出力インタフェースユニット    ２０…反射型入力機
【図１】
0004018755.tif 000002
【図２】
0004018755.tif 000003
【図３】
0004018755.tif 000004
【図４】
0004018755.tif 000005
【図５】
0004018755.tif 000006
【図６】
0004018755.tif 000007
【図７】
0004018755.tif 000008
【図８】
0004018755.tif 000009
【図９】
0004018755.tif 000010